(57)【要約】【目的】本発明は写真等を個別に真空ファイルし、また写真情報等が外部に洩れ出すことなしに印刷のような豪華をもって少部数のオリジナルアルバムを作製したり、机上等に立て置きしたりすることのできる額縁付きカード，ルーズリーフおよび写真立てを新規に提供することを目的とするものである。【構成】本発明は表面に位置決め枠を画定した台紙と、該台紙上に同形で前記位置決め枠内を無色透明の透視部、枠外の四周を有色の額縁面とし、且つ内面の全面を糊付面にして剥離紙を当て付けた表紙フィルムの内面一端を貼付けてなり、該台紙上の画定枠内に写真など保存したい資料を載せて剥離紙を内端から引き剥がしながら表紙フィルムを台紙上に接着することにより額縁面に囲まれて透視される写真等の資料を表紙フィルムの表面接着により真空被覆することを特徴とする写真等の個別真空ファイル用の額縁付きカード，ルーズリーフおよび写真立てにある。【選択図】        図２
2004230575.tif 000002
【特許請求の範囲】
【請求項１】
表面に位置決め枠を画定した台紙と、該台紙上に同形で前記位置決め枠内を無色透明の透視部、枠外の四周を有色の額縁面とし、且つ内面の全面を糊付面にして剥離紙を当て付けた表紙フィルムの内面一端を貼付けてなり、該台紙上の画定枠内に写真など保存したい資料を載せて剥離紙を内端から引き剥がしながら表紙フィルムを台紙上に接着することにより額縁面に囲まれて透視される写真等の資料を表紙フィルムの表面接着により真空被覆することを特徴とする写真等の個別真空ファイル用の額縁付きカード，ルーズリーフおよび写真立て。
【請求項２】
四周の額縁面にメモ欄を設け、または額縁面を景色や花，絵模様などの柄付きにした請求項１記載の写真等の個別真空ファイル用の額付きカード，ルーズリーフおよび写真立て。
【請求項３】
台紙の位置決め枠と対応する表紙フィルムの透視部とを複数にして設けた請求項１または２に記載の写真等の個別真空ファイル用の額付きカード，ルーズリーフおよび写真立て。
【請求項４】
位置決め枠および透視部を丸形やハート形等の異形状に形成するとともに該透視部の形状に合わせて写真等を截断加工するための別枠体を用意したことを特徴とする請求項１乃至３のいずれかに記載の写真等の個別真空ファイル用の額付きカード，ルーズリーフおよび写真立て。
【請求項５】
表紙フィルムの内面に台紙上への真空接着時に空気の排出を容易にする糊不着細面を多設する請求項１乃至４のいずれに記載の写真等の個別真空ファイル用の額付きカード，ルーズリーフおよび写真立て。
【請求項６】
台紙の両面に位置決め枠および表紙フィルムを設けた請求項１乃至５のいずれかに記載の写真等の個別真空ファイル用の額付きカード，ルーズリーフおよび写真立て。
【請求項７】
一端に重ね合わせ綴じするための綴じ代を設けた請求項１乃至６のいずれかに記載の写真等の個別真空ファイル用の額付きカード，ルーズリーフおよび写真立て。
【請求項８】
綴じ代の部分に止め輪や止めビス挿通用の綴じ穴を設けた請求項７に記載の写真等の個別真空ファイル用の額付きカード，ルーズリーフおよび写真立て。
【請求項９】
綴じ代部分の内側に折曲自在線を形成した請求項７または８に記載の写真等の個別真空ファイル用の額付きカード，ルーズリーフおよび写真立て。
【請求項１０】
台紙の位置決め枠を避けた部分に１乃至数本の折曲げ線を設け、該折曲げ線よりカード額を曲げて机上等に立て置きするようにした請求項１乃至５のいずれかに記載の写真等の個別真空ファイル用の額付きカード，ルーズリーフおよび写真立て。
【請求項１１】
台紙の裏面に立て置き用の脚片を設けて立て置きするようにした請求項１乃至５のいずれかに記載の写真等の個別真空ファイル用の額付きカード，ルーズリーフおよび写真立て。
【発明の詳細な説明】
【０００１】
【発明が属する技術分野】
この発明は写真等の個別真空ファイル用の額付きカード・ルーズリーフおよび写真立て、詳しくは額縁面に囲まれて透視される豪華さをもって写真等の表面を覆い空気に触れない真空状態にて保護するようにし、さらに綴じ合わせてて豪華な自家製アルバムを作製したり、写真立てとしたりすることができるようにした写真等の個別真空ファイル用の額付きカード，ルーズリーフおよび写真立てに関するものである。
【０００２】
【従来の技術】
従来写真等は市販の空アルバム帳の各糊付面に写真を貼り付け、または空アルバム帳の透明フィルム袋内に収め入れるなどして保存したり、あるいは写真立ての中に入れて飾るようにしている。
【０００３】
また記念アルバム等は写真をもとにして美術印刷等にて作製するものとなり、専門な設備と高度な技術および経験を要すために専門の業者に依頼して作製してきたものである。
【０００４】
【発明が解決しようとする課題】
しかしながら、アルバム帳に貼ったり入れたりしても単に写真が並べられただけで興趣に欠けるものとなり、写真立てに入れて飾る場合も含めて写真が空気に触れて曲ったり変色したり、色あせたり、破損したりする課題がある。また美術印刷等による記念アルバムは部数を多く印刷しないと単価が非常に高くなるために１部や少部数の記念アルバムは実際的に作製することができないという課題がある。また作製過程において写真情報が外部に流出するかも知れないという不安も生ずる。
【０００５】
【課題を解決するための手段】
本発明は表面に位置決め枠を画定した台紙と、該台紙上に同形で前記位置決め枠内を無色透明の透視部、枠外の四周を有色の額縁面とし、且つ内面の全面を糊付面にして剥離紙を当て付けた表紙フィルムの内面一端を貼付けてなり、該台紙上の画定枠内に写真など保存したい資料を載せて剥離紙を内端から引き剥がしながら表紙フィルムを台紙上に接着することにより額縁面に囲まれて透視される写真等の資料を表紙フィルムの表面接着により真空被覆するようにして写真等を保護するとともに額縁付きにて豪華に装飾することができ、そのまま写真立てとしたり、これらを綴じ合わせて少部数でも豪華なオリジナル記念アルバムを安価に作製し得るようにして、かかる課題を解決するものである。
【０００６】
【発明の実施の形態】
図１に示すように台紙１上に位置決め枠２を画設し、重ね合わせされる同形の表紙フィルム３の位置決め枠２内を無色透明の透視部４とし、枠２外の四周を景色や絵柄などを含めた有色の額縁面５とし、且つ内面全面を糊付面３ａにして１枚または数枚に分割した剥離紙６を当て付け、剥離紙６の一端６ａを剥離して台紙１の内端上に貼付けてなる額縁付きカード７を形成する。
【０００７】
図１乃至２に示すように額縁付きカード７の台紙１上の位置決め枠２に合わせて保存したい薄片資料、例として写真８を敷き載せて剥離紙６を内端から引き剥がしつつ端から順に表紙フィルム３を台紙１および写真などの資料８上に接着してゆくのである。写真８は図３に示すように額縁面５に囲まれた豪華さをもって透視部４より透視される状況において写真８の表面に表紙フィルム３が直接接着するので、写真８は真空被覆されて汚損や変色，色あせ、曲がり等が生じないオリジナルな写真入り額縁付きカード７が作製できるものとなる。なお写真８の向きに合わせて横長写真用と縦長写真用の透視部４を形成したものを用意して選択できるようにする。このようにして作製した写真入り額縁付きカード７は整理箱等にて収納保管するほかそのまま壁に立てかけたり鋲止めしたりして陳列することもできる。
【０００８】
図４は台紙１と表紙フィルム３に楕円形等の異形の位置決め枠２と透視部４を設けた例および複数個所の小さな位置決め枠２とこれに対応する透視部４とを設けた例を示すもので、写真８をその大きさや形にに合わせて截断し敷き載せして表紙フィルム３を真空接着することにより、異形の透視部４に囲まれた目立つ飾り付けや１枚の台紙１に複数枚の写真８を組み合わせて掲示することができるようにしたものである。透視部４内に正確に写真８を収めるためには図５に示すように位置決め枠２，透視部４の形に合わせて写真８を截断できるように印を付けることのできる枠付体９を用意している。
【０００９】
図６は台紙１の両面に位置決め枠２と表紙フィルム３を設けた例を示すもので、台紙１の両面を利用して写真８を収めるようにしたものである。前記の片面式の場に合は台紙１の裏面を装飾や手書き用に整えた印刷面として利用することもできる。
【００１０】
なお図７に示すように表紙フィルム３の内面に例えば縦や横あるいは縦横にて糊付面３ａと同じに透明な糊不着細面３ｂを多数設けて、台紙１上に剥離紙６を引き剥がしながら接着する際に表紙フィルム３の内面と台紙１間の空気抜き（矢印）を促進して表面接着による真空被覆を向上させることができ、また表紙フィルム３と写真８および台紙１との間に空気粒の残る見栄えの悪さを解消することもできる。
【００１１】
図８は片面または両面式の写真入り額縁付きカード７をルーズリーフとして複数葉を綴じ合わせてアルバムを作製する例を示すもので、図８（ａ）に示すように額縁付きカード７の一側に綴じ代７ａを設けるとともに綴じ代７ａの内側に折曲自在線７ｂを形成し、図８（ｂ）に示すように複数枚のカード額７の綴じ代７ａ部分をバネ圧式の綴じ具１０等により綴じ合わせてアルバム１２とした例を示すものである。
【００１２】
また図９（ａ）に示すように綴じ代７ａに２乃至複数個の綴じ穴７ｃを形成し、図９（ｂ）に示すように長短連結自在の止めビス１１ａ，１１ｂにより合わせ綴じ、または図９（ｃ）に示すように開閉自在の止め輪１１ｃにより綴じ合わせることもある。かようにして一見美術印刷を思わせるような豪華さをもったオリジナルなアルバム１２を個人で容易に作製するすることができることとなる。これらのアルバム１２は必要に応じてルーズリーフの枚数を増減したり順番を入れ替えたりすることができるので、記念アルバム等をより良く構成しながら仕上してゆくことができるものとなる。また、こうしたアルバム１２は作製過程で外部の人の手を煩わすことがないから写真情報等が外部に流出するおそれを防止することができる。なお表紙板や手書き欄，写真シールの貼付欄等を設けるなどした同形の印刷ルーズリーフを用意しておくことにより、表紙や裏表紙として、また中間位置に挿入するなど適宜に組合わせ綴じして、より興趣の深まるアルバム１２を作製することもできる。
【００１３】
図１０（ａ）（ｂ）は台紙の位置決め枠２すなわち写真８の貼付部を避けた部分に１乃至数本の折曲げ線１３を設け、折曲げ線１３より額縁付きカード７を適宜に曲折して机上等に立て置きすることができるように写真立て１４に構成した例を示すものである。また図１１は台紙１の裏面に脚片１５を設けて開き立てすることによって写真立て１４とした例を示すものである。
【００１４】
【発明の効果】
本発明は以上のようにして、位置決め枠を画設した台紙と、該該台紙と同形で前記位置決め枠に相応する透視部およびその周囲に有色・絵柄付き等の額縁面をもった剥離紙付きの表紙フィルムとを内面一端で貼り付けてなる額縁付きカードを提供し、台紙上に位置決めして写真等を載せ、表紙フィルムの剥離紙を剥がしながらの表面接着により、写真等は表紙フィルムにて真空被覆されて額縁付きの豪華な装幀を呈して且つ汚損や曲がり，色あせ等が生じないで長期間鮮明な状態にて保存したり陳列したりすることができるという効果を生ずる。
【００１５】
表紙フィルムの内面に台紙上への真空接着時に空気を排出を容易にする糊不着細面を多設することにより、真空接着性を向上するとともに写真と表紙フィルム間などに空気溜まりの生じないきれいな仕上がりにすることができるという効果を生ずる。
【００１６】
複数葉の額縁付きカードをルーズリーフとして綴じ合わせることにより一見して印刷されたような豪華な仕上がりのアルバムを個人で容易に作製することができ、しかも作製に当って外部の人の手を煩わすことがないから、写真などの情報が外部に流出するおそれや不安が生じないという効果を生ずる。
【００１７】
台紙の位置決め枠と対応する表紙フィルムの透視部とを複数にして設け、また位置決め枠および透視部を丸形やハート形等の異形状に形成したものを他種類用意することによりバラエティに富んだ額縁付きカードや該カードをルーズリーフとしたアルバムを作製することができるという効果を生ずる。またその際に截断加工用の別枠体を用意することにより正確な位置合わせを容易にすることができるという効果を生ずる。
【００１８】
台紙の位置決め枠を避けた部分に１乃至数本の折曲げ線を設けて曲折立てし、または台紙の裏面に立て置き用の脚片を設けて立て置きすることにより、簡便にして豪華な写真立てとすることができるという効果を生ずる。
【図面の簡単な説明】
【図１】本発明の額縁付きカードの１例の組付け例を示す斜視図
【図２】台紙上に写真を載せて表紙フィルムを裏側の剥離紙を剥がしながら接着しつつある状態を示す側面図
【図３】同、表紙フィルムの接着による真空被覆が完了した状態を示す正面図
【図４】異形状または複数の透視部を設けて複数枚の写真を所載した例を示す正面図
【図５】位置合わせ截断用の枠付体を示す正面図
【図６】台紙の両面に表紙フィルムを設けた例を示す側面図
【図７】表紙フィルムの内面に縦横にて多数の糊不着細面を設けることにより空気抜きが促進される例を示す部分図
【図８】（ａ）は台紙の一側に綴じ代と折曲自在線を形成した例を示し、（ｂ）は複数葉の額縁付きカードをルーズリーフとして綴じ合わせしてアルバムにした状態を示す側面図
【図９】（ａ）は綴じ代部に綴じ穴を形成した例を示す額縁付きカード形ルーズリーフの斜視図、（ｂ）は綴じ穴を利用して止めビスにより複数葉のルーズリーフを綴じてアルバムとした状態を示す側面図、（ｃ）は止め輪を用いて綴じたアルバム作製例を示す側面図
【図１０】（ａ）（ｂ）は台紙の適所に折曲げ線を形成し、台紙を折曲げて立たせて写真立てとした例を示す斜視図
【図１１】台紙の裏面に脚片を取付けて写真立てとした例を示すもので、（ａ）は横長置きの例の正面斜視図、（ｂ）は縦長置きの例を裏側から見せる斜視図
【符号の説明】
１は台紙
２は位置決め枠
３は表紙フィルム
３ａは糊付面
３ｂは糊不着細面
４は透視部
５は額縁面
５ａはメモ欄
６は剥離紙
７は額縁付きカード
７ａは綴じ代
７ｂは折曲自在線
７ｃは綴じ穴
８は写真等の資料
９は枠付体
１０は綴じ具
１１ａは止めビス
１１ｂは止め輪
１２はアルバム
１３は折曲げ線
１４は写真立て
１５は脚片
【図１】
2004230575.tif 000003
【図２】
2004230575.tif 000004
【図３】
2004230575.tif 000005
【図４】
2004230575.tif 000006
【図５】
2004230575.tif 000007
【図６】
2004230575.tif 000008
【図７】
2004230575.tif 000009
【図８】
2004230575.tif 000010
【図９】
2004230575.tif 000011
【図１０】
2004230575.tif 000012
【図１１】
2004230575.tif 000013